(57)【要約】【課題】本発明は、分散シュートと回転円板との相対位置調整、つまり分散シュートの角度調整を行う際に、穀物乾燥機内に入ることなく、穀物乾燥機外から調整板によって分散シュートの方向調整を行い得る穀物乾燥機の回転分散装置を実現することを目的としている。【解決手段】このため、円錐状の回転円板と、回転円板の先に穀物飛散のための羽根と、回転円板の中央部に穀物溜まりと、穀物溜まりに向けて穀物を案内する分散シュートと、分散シュートと回転円板の相対位置調整を行う構造を備えた穀物乾燥機の回転分散装置において、分散シュートには穀物乾燥機外から位置調整の可能な調整板を設けている。【選択図】図１
2007051819.tif 000002
【特許請求の範囲】
【請求項１】
円錐状の回転円板と、この回転円板の先に穀物飛散のための羽根と、前記回転円板の中央部に穀物溜まりと、この穀物溜まりに向けて穀物を案内する分散シュートと、この分散シュートと前記回転円板の相対位置調整を行う構造を備えた穀物乾燥機の回転分散装置において、前記分散シュートには穀物乾燥機外から位置調整の可能な調整板を設けたことを特徴とする穀物乾燥機の回転分散装置。
【請求項２】
前記穀物溜まりの内部には、穀物撹拌機構を設けたことを特徴とする請求項１に記載の穀物乾燥機の回転分散装置。
【発明の詳細な説明】
【技術分野】
【０００１】
この発明は穀物乾燥機の回転分散装置に係り、特に分散シュートと回転円板との相対位置調整、つまり分散シュートの角度調整を行う際の作業性を向上させた穀物乾燥機の回転分散装置に関するものである。
【背景技術】
【０００２】
米麦等の穀物を乾燥させる穀物乾燥機には、精米前の籾状態の米や麦等の穀物を乾燥するものであり、循環型や平型等の穀物乾燥機がある。
【０００３】
循環型の穀物乾燥機は、乾燥機本体内に上部から順次に穀物の投入される貯留部と穀物を乾燥する乾燥部と乾燥した穀物を集める集穀部とを設け、穀物を上段の貯留部から中段の乾燥部を経て下段の集穀部に導いた後に前記上段の貯留部に戻して循環させる間に、前記乾燥部において熱風や遠赤外線により穀物を乾燥する。
【０００４】
このとき、前記穀物乾燥機の穀槽である穀物の投入される貯留部の上部に横架したスクリュウ式の張り込み用コンベアからなる上部搬送手段の張り込み側である排出口側近傍に、回転円板へ穀物を落とすための分散シュートが設けられている。
【０００５】
そして、この分散シュートの方向を変化させることで前記回転円板へ穀物を落とす位置を変化させ、前記穀物乾燥機の穀槽である貯留部に穀物を張り込む際の均分状態を変更させている。
【０００６】
【特許文献１】実公昭６３−１５７５０号公報
【発明の開示】
【発明が解決しようとする課題】
【０００７】
ところで、従来の穀物乾燥機の回転分散装置においては、回転円板の中央部に設けられる穀物溜まりに向けて穀物を案内する分散シュートと回転円板の相対位置調整を行うものがある。
【０００８】
例えば、以下の２種類がある。
（ａ）張り込み速度が６トン／時位の穀物乾燥機の回転分散装置の場合
（ｂ）張り込み速度が９トン／時位の穀物乾燥機の回転分散装置の場合
【０００９】
そして、上記（ａ）の張り込み速度が６トン／時位の穀物乾燥機の回転分散装置の場合には、図７に示す如く、前記穀物乾燥機の穀槽である穀物の投入される貯留部（図示せず）の上部にスクリュウ式の張り込み用コンベアからなる上部搬送手段１０４を横架し、この上部搬送手段１０４の張り込み側である排出口側近傍に、回転円板１０６へ穀物を落とすための分散シュート１１２を設ける。
【００１０】
この分散シュート１１２は、固定シュート板１１２−１と回動シュート板１１２−２とからなり、この回動シュート板１１２−２は、図７及び図８に示す如く、前記穀物乾燥機の上部搬送手段１０４下方に１個の固定ネジ１１６により固定シュート板１１２−１に固定される。
【００１１】
このとき、固定ネジ１１６の近傍部位の前記分散シュート１１２の回動シュート板１１２−２に、複数個の位置決め孔部１１８ａを設け、この位置決め孔部１１８ａを通して、分散シュート１１２と前記回転円板１０６との相対位置調整、つまり分散シュート１１２の回動シュート板１１２−２の角度調整を目視しつつ行う構造とする。
【００１２】
前記位置決め孔部１１８ａは、図８に示す如く、前記上部搬送手段の長手方向に合致すべく分散シュート１１２の回動シュート板１１２−２を指向させた際に、回動シュート板１１２−２の先端側に移行するに従い、長手方向に対して漸次接近するように形成するものである。
【００１３】
そして、工場出荷時は、穀物の分散が図７の前側である昇降機側から見て右側が少し高くなるように設定され、速く張り込むと左右均等になるとともに、ゆっくり張り込むと右側が高くなる傾向がある。
【００１４】
なお、少量乾燥で片寄る場合には、以下の手順にて分散シュート１１２の回動シュート板１１２−２の位置調整を行い、分散の状態を変化させる。
（１）分散シュート１１２の回動シュート板１１２−２の固定ネジ１１６を緩める。
（２）左側を高くする場合に、昇降機側から見て右方向に回し、右側を高くする場合には、左側に回す。
（３）分散シュート１１２の回動シュート板１１２−２の標準位置は、位置決め孔部１１８ａにより決定する。
【００１５】
また、上述（ｂ）の張り込み速度が９トン／時位の穀物乾燥機の回転分散装置の場合に、位置決め孔部１１８ｂの形成状態以外の箇所の構成は、図９及び図１０から明らかなように、上記（ａ）の張り込み速度が６トン／時位の穀物乾燥機の回転分散装置の場合と略同様であるため、
説明は省略する。
【００１６】
この（ｂ）の張り込み速度が９トン／時位の穀物乾燥機の回転分散装置の場合において、位置決め孔部１１８ｂは、図１０に示す如く、前記上部搬送手段の長手方向に合致すべく分散シュート１１２の回動シュート板１１２−２を指向させた際に、長手方向に対して平行状態となるように形成するものである。
【００１７】
そして、工場出荷時は、穀物の分散が図９の前側である昇降機側が少し高くなるように設定され、速く張り込むと前側が高くなるとともに、ゆっくり張り込むと後側が高くなる傾向がある。
【００１８】
なお、張り込み速度が５トン／時以下の時は、図示しない満量センサの作動が遅れ、張り込み過ぎになる場合があり、以下の手順にて分散シュート１１２の回動シュート板１１２−２の位置調整を行い、分散の状態を変化させる。
（１）分散シュート１１２の回動シュート板１１２−２の固定ネジ１１６を緩める。
（２）前側を高くする場合に、昇降機側から見て右方向に回し、後側を高くする場合には、左側に回す。
（３）分散シュート１１２の回動シュート板１１２−２の標準位置は、位置決め孔部１１８ｂにより決定する。
【００１９】
上述したように、従来の穀物乾燥機の回転分散装置においては、穀物の性状や張り込み速度等によって穀物乾燥機内に穀物を均一に張り込みできない状態の時に、穀物乾燥機の穀槽である貯留部の上部に横架したスクリュウ式の張り込み用コンベアからなる上部搬送手段の張り込み側である排出口側近傍に位置する分散シュートの回動シュート板の方向調整を行っている。
【００２０】
しかし、分散シュートの回動シュート板の方向調整を行う際に、穀物乾燥機内に入って固定ネジを緩める作業を行う必要があり、作業が困難であるとともに、大なる作業時間をも要し、実用上不利であるという不都合がある。
【００２１】
また、前記分散シュートの回動シュート板の方向調整を行う方策としては、穀物乾燥機の外部に調整操作部を有する調整機構もあるが、調整機構としてリンク機構を用いているため、構成が複雑で、製作が困難となるとともに、コストが大となり、経済的に不利であり、しかも調整が難しく、実用上不利であるという不都合がある。
【００２２】
更に、前記穀物乾燥機においては、張り込み用コンベアからなる上部搬送手段の排出口から排出される穀物が、バケットエレベータにより構成される昇降機によって上部搬送手段に送り込まれるため、バケットエレベータからなる昇降機の各バケットからの間接的な放出によって脈動した状態が生じ、回転分散装置から周辺に向けて穀物を均一に分散させることが困難であるという不都合がある。
【００２３】
更にまた、バケットエレベータからなる昇降機の各バケットから間接的に放出される穀物の量により、穀物乾燥機の穀槽である貯留部に穀物を張り込んだ際の形状が異なり、規定量の穀物を張り込むことができないという不都合がある。
【００２４】
この発明の目的は、分散シュートと回転円板との相対位置調整、つまり分散シュートの角度調整を行う際に、穀物乾燥機内に入ることなく、穀物乾燥機外から調整板によって分散シュートの方向調整を行い得る穀物乾燥機の回転分散装置を実現するにある。
【課題を解決するための手段】
【００２５】
そこで、この発明は、上述不都合を除去するために、円錐状の回転円板と、この回転円板の先に穀物飛散のための羽根と、前記回転円板の中央部に穀物溜まりと、この穀物溜まりに向けて穀物を案内する分散シュートと、この分散シュートと前記回転円板の相対位置調整を行う構造を備えた穀物乾燥機の回転分散装置において、前記分散シュートには穀物乾燥機外から位置調整の可能な調整板を設けたことを特徴とする。
【発明の効果】
【００２６】
以上詳細に説明した如くこの本発明によれば、円錐状の回転円板と、回転円板の先に穀物飛散のための羽根と、回転円板の中央部に穀物溜まりと、穀物溜まりに向けて穀物を案内する分散シュートと、分散シュートと回転円板の相対位置調整を行う構造を備えた穀物乾燥機の回転分散装置において、分散シュートには穀物乾燥機外から位置調整の可能な調整板を設けたので、調整板によって、分散シュートの方向調整を穀物乾燥機内に入ることなく、穀物乾燥機外から簡単に行うことができ、作業性を向上し得るとともに、前記分散シュートの方向調整により、張り込み速度や穀物の性状に影響されることなく、穀物乾燥機内に穀物を張り込んだ時の分散形状を変更することができる。
【発明を実施するための最良の形態】
【００２７】
上述の如く発明したことにより、前記分散シュートと前記回転円板との相対位置調整、つまり分散シュートの角度調整を行う際には、穀物乾燥機外から調整板によって分散シュートの方向調整を行い、作業性を向上させている。
【実施例１】
【００２８】
以下図面に基づいてこの発明の実施例を詳細に説明する。
【００２９】
図１〜図３はこの発明の実施例を示すものである。図１及び図２において、２は図示しない循環型の穀物乾燥機の回転分散装置である。
【００３０】
前記穀物乾燥機は、前板と後板と側板とにより前後方向に長い乾燥機本体を形成している。乾燥機本体内には、上部から順次に、穀物の投入される貯留部と穀物を乾燥する乾燥部と乾燥した穀物を集める集穀部とを設けている。
【００３１】
この穀物乾燥機は、乾燥機本体の前板側に揚穀機を設け、貯留部上方に揚穀機上部に連絡されるスクリュウ式の張り込み用コンベアからなる上部搬送手段４を設け、集穀部下方に揚穀機下部に連絡される下部搬送手段を設けている。
【００３２】
そして、前記穀物乾燥機は、揚穀機により揚上した穀物を上部搬送手段４により前記回転分散装置２に移動させ、この回転分散装置２から貯留部内に分散落下させ、乾燥部において乾燥した後に集穀部に集め、下部搬送手段により揚穀機下部に搬送して再び揚上するという循環を繰返して穀物の乾燥を行うものである。
【００３３】
このとき、前記回転分散装置２は、円錐状の回転円板６と、この回転円板６の先に穀物飛散のための羽根８と、前記回転円板６の中央部に穀物溜まり１０と、この穀物溜まり１０に向けて穀物を案内する分散シュート１２と、この分散シュート１２と前記回転円板６の相対位置調整を行う構造を有する。
【００３４】
つまり、前記穀物乾燥機の上部に張り込み用コンベアからなる上部搬送手段４を設けた際に、図１に示す如く、この上部搬送手段４の張り込み側である排出口側近傍から回転軸１４を垂下して設け、この回転軸１４の最下端部位に円錐状、かつ上方に向かって漸次拡張する前記回転円板６を装着する。
【００３５】
なお、前記回転軸１４は、前記上部搬送手段４からの回転力を利用し、かつ図示しない分散ギヤボックスを使用して回転させることが可能であるとともに、独自の駆動用モータ（図示せず）を設けて回転させることも可能である。さすれば、前記上部搬送手段４からの回転力を利用した際には、構成の簡略化が図れ、コストを低廉に維持することが可能であり、独自の駆動用モータ（図示せず）を設ける際には、駆動用モータの回転速度を制御すれば、前記回転円板６から分散される穀物の分散距離を可変とすることができるものである。
【００３６】
また、前記回転円板６の先、すなわち周縁近傍の内側部位には、円周等間隔に穀物飛散用の前記羽根８を設ける。
【００３７】
更に、前記回転円板６の中央部、つまり回転円板６の円錐状、かつ上方に向かって漸次拡張する形状の中央部において、回転円板６の内側部位に穀物溜まり１０を形成する。
【００３８】
更にまた、前記回転円板６の上方部位には、図１に示す如く、回転円板６の内側部位の穀物溜まり１０に向けて穀物を案内する前記分散シュート１２を設ける。
【００３９】
この分散シュート１２は、固定シュート板１２−１と回動シュート板１２−２とからなり、この回動シュート板１２−２は、図１及び図３に示す如く、前記穀物乾燥機の上部搬送手段４下方に１個の固定ネジ１６により固定シュート板１２−１に固定される。
【００４０】
このとき、固定ネジ１６よりも外側部位の前記分散シュート１２の回動シュート板１２−２には、複数個の位置決め孔部１８を設け、この位置決め孔部１８を通して、分散シュート１２と前記回転円板６との相対位置調整、つまり分散シュート１２の回動シュート板１２−２の角度調整を目視しつつ行う構造とする。
【００４１】
また、前記分散シュート１２の回動シュート板１２−２には、穀物乾燥機外から位置調整の可能な調整板２０を設ける構成とする。
【００４２】
詳述すれば、調整板２０を、図１〜図３に示す如く、板状金属部材により形成し、調整板２０の一端側を前記分散シュート１２の回動シュート板１２−２に接続するとともに、調整板２０の他端側を前記穀物乾燥機の上部搬送手段４よりも上方に位置すべく配設し、調整板２０の他端を折曲して外部調整操作部２０ｓを設けるものである。
【００４３】
このとき、前記穀物乾燥機の上部搬送手段４側に筒状のガイド部２２を固定して設け、このガイド部２２に前記調整板２０の他端側を挿通させた後に、調整板２０の他端側を前記穀物乾燥機の上部搬送手段４よりも上方に位置させる。
【００４４】
更に、前記調整板２０に複数個の調整孔部２４を形成するとともに、前記ガイド部２２に固定孔部２６を形成し、穀物乾燥機外において、松葉ピン等の係止具２８を利用して調整板２０の所定の調整孔部２４とガイド部２２の固定孔部２６とを挿通し、調整板２０を固定して前記分散シュート１２の回動シュート板１２−２の回動動作を阻止すべく固定するものである。
【００４５】
なお符号３０は、前記回転軸１４の最下端部位に前記回転円板６を装着する際に使用される装着ボルトである。
【００４６】
次に作用を説明する。
【００４７】
前記分散シュート１２と前記回転円板６との相対位置調整、つまり分散シュート１２の回動シュート板１２−２の角度調整を穀物乾燥機外から行う際には、図１に示す如く、前記調整板２０の所定の調整孔部２４と前記ガイド部２２の固定孔部２６とを挿通する松葉ピン等の係止具２８を取り外した後に、調整板２０を押し込む、あるいは引き抜いて前記固定ネジ１６を回動中心として分散シュート１２の回動シュート板１２−２を回動させる。
【００４８】
そして、前記調整板２０を押し込み、あるいは引き抜き作業によって、分散シュート１２の回動シュート板１２−２の角度調整を行った後には、前記調整板２０の調整孔部２４と前記ガイド部２２の固定孔部２６との合致する位置に松葉ピン等の係止具２８を挿通させ、調整板２０の固定を行う。
【００４９】
これにより、前記分散シュート１２に穀物乾燥機外から位置調整の可能な調整板２０を設けたことによって、分散シュート１２の回動シュート板１２−２の方向調整を穀物乾燥機内に入ることなく、穀物乾燥機外から簡単に行うことができ、作業性を向上し得る。
【００５０】
また、前記分散シュート１２の回動シュート板１２−２の方向調整により、張り込み速度や穀物の性状に影響されることなく、穀物乾燥機内に穀物を張り込んだ時の分散形状を変更することができる。
【００５１】
更に、前記調整板２０として、板状部材を使用することにより、複雑なリンク機構を使用する必要がなく、構成を簡略化し得て、製造が容易であるとともに、製作コストを低廉に維持することができ、経済的に有利である。
【００５２】
更にまた、たとえ前記調整板２０を使用する調整機構が故障しても、前記分散シュート１２の回動シュート板１２−２は前記固定ネジ１６によって固定されていることにより、前記分散シュート１２の回動シュート板１２−２に形成される複数個の位置決め孔部１８を使用すれば、穀物乾燥機内に穀物を張り込んだ時の分散形状の変更が可能である。
【実施例２】
【００５３】
図４〜図６はこの発明の第２実施例を示すものである。この第２実施例において、上述第１実施例のものと同一機能を果たす箇所には、同一符号を付して説明する。
【００５４】
この第２実施例の特徴とするところは、上述第１実施例における前記回転円板６の内側部位に形成した穀物溜まり１０の内部に、穀物撹拌機構３２を設けた点にある。
【００５５】
すなわち、図４〜図６に示す如く、前記回転円板６の内側、かつ中央部位に六角形状の穀物溜まり１０を形成するとともに、この穀物溜まり１０の所定箇所、例えば、図６に示す如く、夫々隣接しない辺部である３辺の一部に、垂線に対して所定角度を有するように斜めに切除して形成した穀物溜まり排出口３４を設け、前記穀物溜まり１０の中心部位に前記穀物撹拌機構３２を設けるものである。
【００５６】
そして、この穀物撹拌機構３２は、図４〜図６に示す如く、前記回転軸１４の最下端部位に固定される筒状固定軸部３６と、この筒状固定軸部３６の上端において、夫々相反する外側方向に延びる、例えば２枚の撹拌翼部３８と、筒状固定軸部３６の中央高さ部位において外側方向に延び、前記回転円板６を取り付けるためのフランジ部４０とからなる。
【００５７】
このとき、前記筒状固定軸部３６の下端近傍には、図４及び図６に示す如く、径方向に貫通する貫通孔部４２を形成するとともに、この貫通孔部４２を利用して前記回転軸１４に筒状固定軸部３６を固定する固定軸部用固定ネジ４４を設ける。
【００５８】
また、前記筒状固定軸部３６のフランジ部４０には、図５に示す如く、例えば、２個の取付孔部４６を設けるとともに、この取付孔部４６を利用してフランジ部４０に前記回転円板６を取り付けるを取り付ける取付ネジ４８を設けるものである。
【００５９】
さすれば、前記穀物溜まり１０の内部に穀物撹拌機構３２を設けたことによって、張り込み速度や穀物の性状に影響されることなく、穀物乾燥機内に穀物を均一に張り込むことができる。
【００６０】
また、穀物の性状に影響されることなく、規定量の穀物を穀物乾燥機内に張り込むことができる。
【００６１】
更に、前記穀物溜まり１０の内部に設けた穀物撹拌機構３２によって、穀物溜まり１０に流入された穀物を穀物溜まり１０内で均一に溜めることが可能となり、前記穀物溜まり排出口３４から常時一定量の穀物を前記回転円板６へ送り出すことができるため、回転円板６の周囲から散布される穀物量が不変となり、穀物乾燥機の穀槽である貯留部内へ均分張り込みできるものである。
【００６２】
なお、この発明は上述実施例に限定されるものではなく、種々の応用改変が可能である。
【００６３】
例えば、この発明の実施例においては、１つの板状金属部材によって調整板を形成する構成としたが、２つの板状金属部材によって調整板を形成する特別構成とすることも可能である。
【００６４】
すなわち、固定ネジを挟んで分散シュートの回動シュート板の両端に連絡する２つの調整板を設け、これらの端部である外部調整操作部を穀物乾燥機の外部に夫々位置させるものである。
【００６５】
さすれば、２つの調整板によって分散シュートの回動シュート板の角度調整を穀物乾燥機外から行うことができ、作業性をより一層向上し得るとともに、たとえ一方の調整板が故障しても、他方の調整板によって分散シュートの回動シュート板の角度調整を行うことが可能であり、故障の際のバックアップ機能として有用である。
【図面の簡単な説明】
【００６６】
【図１】この発明の第１実施例を示す穀物乾燥機の回転分散装置の張り込み用コンベアからなる上部搬送手段及び回転円板部分の概略正面図である。
【図２】穀物乾燥機の回転分散装置の張り込み用コンベアからなる上部搬送手段部分の概略平面図である。
【図３】図１の矢視ＩＩＩ部分から視た状態の概略図である。
【図４】この発明の第２実施例を示す穀物乾燥機の回転分散装置の張り込み用コンベアからなる上部搬送手段及び回転円板部分の要部断面概略正面図である。
【図５】回転円板の平面図である。
【図６】回転円板及び穀物撹拌機構の断面図である。
【図７】この発明の第１の従来技術を示す穀物乾燥機の回転分散装置の張り込み用コンベアからなる上部搬送手段及び回転円板部分の概略正面図である。
【図８】張り込み用コンベアからなる上部搬送手段部分の概略底面図である。
【図９】この発明の第２の従来技術を示す穀物乾燥機の回転分散装置の張り込み用コンベアからなる上部搬送手段及び回転円板部分の概略正面図である。
【図１０】張り込み用コンベアからなる上部搬送手段部分の概略底面図である。
【符号の説明】
【００６７】
２  回転分散装置
４  張り込み用コンベアからなる上部搬送手段
６  回転円板
８  羽根
１０  穀物溜まり
１２  分散シュート
１２−１  固定シュート板
１２−２  回動シュート板
１４  回転軸
１６  固定ネジ
１８  位置決め孔部
２０  調整板
２０ｓ  外部調整操作部
２２  ガイド部
２４  調整孔部
２６  固定孔部
２８  係止具
３２  穀物撹拌機構
【図１】
2007051819.tif 000003
【図２】
2007051819.tif 000004
【図３】
2007051819.tif 000005
【図４】
2007051819.tif 000006
【図５】
2007051819.tif 000007
【図６】
2007051819.tif 000008
【図７】
2007051819.tif 000009
【図８】
2007051819.tif 000010
【図９】
2007051819.tif 000011
【図１０】
2007051819.tif 000012
【手続補正書】
【提出日】平成17年9月1日(2005.9.1)
【手続補正１】
【補正対象書類名】図面
【補正対象項目名】全図
【補正方法】変更
【補正の内容】
【図１】
2007051819.tif 000013
【図２】
2007051819.tif 000014
【図３】
2007051819.tif 000015
【図４】
2007051819.tif 000016
【図５】
2007051819.tif 000017
【図６】
2007051819.tif 000018
【図７】
2007051819.tif 000019
【図８】
2007051819.tif 000020
【図９】
2007051819.tif 000021
【図１０】
2007051819.tif 000022